(57)【特許請求の範囲】
【請求項１】
ワイヤの端部に、他との連結を図る連結金具を接続した動物用の索具において、
連結金具のワイヤとの接続を図る接続軸部が、この接続軸部の端部側から設けられている接続孔に前記ワイヤの端部が挿入され、かつ、この接続軸部のワイヤが挿入された部分はまわりから圧縮成形された初期断面よりも小さく、且つ、断面形状六角形の圧縮成形部よりなり、この圧縮成形部の側面のうち互いに平行な一組の対向面上の両側対称位置に圧痕部を有していることを特徴とする動物用の索具。
【請求項２】
連結金具のワイヤとの接続を図る接続軸部にその端部側からの接続孔を設ける工程と、
前記接続軸部の接続孔にワイヤの端部を挿入する工程と、
接続孔にワイヤが挿入された接続軸部をまわりからの圧縮によって初期断面よりも小さい六角形の断面形状まで圧縮成形する工程と、
圧縮成形部の側面のうち互いに平行な一組の対向面上の両側対称位置に他の部分よりも大きく押し込んだ圧痕部を形成する工程と、
を備えたことを特徴とする動物用の索具の製造方法。
【請求項３】
圧縮成形と圧痕部は同時に形成する請求項２に記載の動物用の索具の製造方法。
【請求項４】
連結金具はダイカスト合金製のものを用いる請求項２又は３に記載の動物用の索具の製造方法。
【発明の詳細な説明】
【０００１】
【発明の属する技術分野】
本発明は動物用の索具とその製造方法に関し、特に、犬などを係留するのに好適な動物用の索具とその製造方法に関するものである。
【０００２】
【従来の技術】
例えば、図９に示すように犬ａなどの動物を庭や公園などで所定の範囲で動きまわれるように一定の長さを持った索具ｂによって係留することが行われる。係留は索具ｂの一端を土中に打ち込んだポールｃや立木、柵、杭などに直接または間接に連結し、他端を犬ａなどの動物に連結して繋ぎ止めるようにされる。索具ｂは前記連結のために索ｄの両端にナス環ｆが接続されている。
【０００３】
ナス環ｆは一例として図８に示すように尾端に閉鎖環ｆ１を持ち先端に開閉環ｆ２を持っていて、閉鎖環ｆ１が索ｄと接続され、先端ｆ２が常閉のストッパｆ３を開いて連結相手と掛け外しされるようになっている。索ｄには編み紐、チエン、図８、図９に示すようなワイヤなどがあり、編み紐やワイヤは端部を折り返して輪部ｇとし、折り返し端を索ｄの対応部に結合することにより輪部ｇを固定している。折り返し端ｄ１の結合は編み紐の場合は縫合や溶着、または縫合および溶着の併用にて行われ、ワイヤの場合は図８、図９に示すようなフェルールと呼ばれる管状の止め金具ｈが用いられている。止め金具ｈは樹脂チューブｉで被覆したワイヤである索ｄおよびその折り返し端ｄ１の合わせ部に嵌め合わせた状態にて、油圧式のクランピング・プレス機などによってまわりからクランプしてプレスし、前記ワイヤである索ｄとその折り返し端ｄ１との合わせ部を結束するようにしている。
【０００４】
索ｄのワイヤは例えばステンレス鋼製で、強靭、軽量、美麗、もつれないといった多くの優れた面を持っていて、動物を係留などするのに広く使用されている。
【０００５】
【発明が解決しようとする課題】
しかし、極くまれではあるが索具ｂによる連結が使用中に外れてしまう事例が報告されている。そこで、本発明者が使用の安全のためその原因について種々に実験し検討したところ、使用の年数などによって前記従来の止め金具ｈによる結束力が、係留している大型の犬ａが驚いたり、怖がったり、興奮したときに出す思いもよらない力に耐えられなくなっている不安のあることが判明した。これは、索ｄとその折り返し端ｄ１とを止め金具ｈにて結束しても、樹脂チューブｉの疲労や弾力による結束の緩み、ステンレス製のワイヤである索ｄどうしの断面に変化がなく互いの沿い度合、止め金具ｈとの沿い度合が共に低く滑りが生じやすい、などが原因しているものと思われる。
【０００６】
本発明の目的は、連結金具とワイヤとが不安のない十分で緩みのない結合力で接続された動物用の索具とその製造方法を提供することにある。
【０００７】
【課題を解決するための手段】
上記の目的を達成するために、本発明の動物用の索具は、ワイヤの端部に、他との連結を図る連結金具を接続した動物用の索具において、連結金具のワイヤとの接続を図る接続軸部が、この接続軸部の端部側から設けられている接続孔に前記ワイヤの端部が挿入され、かつ、この接続軸部のワイヤが挿入された部分はまわりから圧縮成形された初期断面よりも小さく、且つ、断面形状六角形の圧縮成形部よりなり、この圧縮成形部の側面のうち互いに平行な一組の対向面上の両側対称位置に圧痕部を有していることを特徴とするものであり、圧痕部は圧縮成形部の両側対称位置にあるのが好適である。
【０００８】
このような索具は、連結金具のワイヤとの接続を図る接続軸部にその端部側からの接続孔を設ける工程と、前記接続軸部の接続孔にワイヤの端部を挿入する工程と、接続孔にワイヤが挿入された接続軸部をまわりからの圧縮によって初期断面よりも小さい六角形の断面形状まで圧縮成形する工程と、圧縮成形部の側面のうち互いに平行な一組の対向面上の両側対称位置に他の部分よりも大きく押し込んだ圧痕部を形成する工程と、を備えたことを特徴とする製造方法によって実現する。
【０００９】
連結金具のワイヤとの接続軸部はまわりから圧縮成形されており、あるいは圧縮成形されることによって、それの一端から挿入されている１本のワイヤがなすほぼ円形な単純で沿いやすい断面ではありながら複数の引き揃え線束を撚り合せてできる凹凸を持った外周面に、よく沿わされ、また、よく密着されて第１の抜け止めとなること、および、圧縮成形部の一部に他の部分よりも大きく押し込んだ圧痕部によって、あるいはそのような圧痕部が形成されることによって、ワイヤの一部に圧痕部形成に伴う局部で他よりも大きな押し込み、言い換えれば接続軸が通常断面のワイヤ外周面に沿う位置よりも内側への押し込み、によって、ワイヤの一部を通常断面よりも局部的に押圧変形させて接続軸部が沿い第２の抜け止めとなること、によって、連結金具とワイヤとが不安のない十分で緩みのない結合力での、接続状態となっているか、接続状態とされる。従って、従来の結束方式のような接続の緩みが生じ難く長期に安心して使用することができる。
【００１０】
圧縮成形は、円形断面から角形断面に変形させるように行い、あるいは行われていると、ワイヤの円周方向の多角形な単位平面の幅方向中央部で強く、大きく圧縮変形させ、単位平面どうしの隣接部で弱く、小さく圧縮変形させることになり、周方向全域にて均一に圧迫するよりも効率よく圧縮力を掛けてワイヤの表面に密に圧着させられるし、圧痕部が形成され、あるいは形成されるときの一部での他の部分よりも大きな押し込みによるワイヤ断面の変形を、接続軸部における弱く小さく圧縮成形変形され、あるいはさせる部分にて吸収することができ、ワイヤ断面の変形による第２の抜け止め効果を高めることができる。
【００１１】
圧縮成形と圧痕部の形成とが同時に行われると、前記圧縮成形による接続軸部のワイヤ外周面への密な圧着と、一部での圧痕部形成によるワイヤ断面の変形とをワイヤの逃げを抑えながら無理なく確実に上記の接続が達成される利点がある。
【００１２】
連結金具がダイカスト合金製のものであると連結金具を金型成形することができるとともに、変形性能が高くその後の圧縮成形および圧痕部の形成成形に好適となる。
【００１３】
本発明のそれ以上の目的および特徴は、以下の詳細な説明および図面の記載によって明らかになる。本発明の各特徴は、それ自体単独で、あるいは可能な限り種々な組合せで複合して用いることができる。
【００１４】
【実施例】
以下、本発明の動物用の索具とその製造方法につき、実施例を示しながら詳細に説明し、本発明の理解に供する。
【００１５】
本実施例の索具は主として犬の係留用に用いる場合の一例であって、ステンレス鋼製のワイヤ１を樹脂チューブ３により被覆した索４の端部に連結金具２が接続されている。連結金具２は一例としてダイカスト合金製で、開閉ストッパ２１ａ付きの開閉環２１ｂを持ったナス環部２１と、ワイヤ１との接続を図る接続軸部２２と、ナス環部２１と接続軸部２２とを接続した接続環２３とを備え、いずれもダイカスト成形されている。
【００１６】
接続環２３はほぼ四角形な環状体で対向し合う２つの辺の一方に大きな取り付け孔２３ａが形成され、他方の辺に小さな取り付け孔２３ｂが形成されている。他方の辺の小さな取り付け孔２３ｂには大きな取り付け孔２３ａを通じて頭部２２ａ付きの接続軸部２２の足部２２ｃから嵌め合わされ、足部２２ｃ側への抜け止め状態としている。一方の辺の大きな取り付け孔２３ａにはナス環部２１の基部２１ｄのくびれ部２１ｃを位置合わせし、この状態で、取り付け孔２３ａを縮小化するプレス加工を接続環２３に施し、くびれ部２１ｃと取り付け孔２３ａとをそれらの軸線に沿った双方向への抜け止め状態に嵌め合わせ、同時に接続軸部２２はその頭部２２ａがナス環部２１の前記方向に抜け止めされた基部２１ｄに邪魔されて取り付け孔２３ｂに対する頭部２２ａ側への抜け止めが完了するようになっている。
【００１７】
しかし、本発明はこれに限られることはなく、種々な連結金具２を用いることができ、ワイヤ１との接続を図る接続軸部２２を、前記のように、あるいは他の方式にて間接的に接続して持っているか、一体に持っていることが最重要である。また、他と着脱できるように連結するために、連結金具２自体がナス環部２１などの着脱できる連結金具２を持つ必要は必ずしもない。少なくとも連結相手側にあれば済む。また、使用上索４はそのワイヤ１の両端において他と連結することになるが、本発明に係る連結金具２とワイヤ１との接続構造は索４の少なくとも一端に備えて有効であり、両端に備えるとより好適となる。また、ワイヤ１はステンレス鋼製よりなり、軽量で錆びず、耐久性に優れるなどの特徴を有し、長期にわたって美麗に使用できる。樹脂チューブ３はワイヤ１を外力や汚れ、など外部環境に対し保護することができるし、接触音を抑制することもでき、また、ワイヤ１に接触する動物や人に対しても触感を和らげるなど保護するので有効であり、透明なものを採用するとワイヤ１が外部から視認でき、質感や索機能の安心感などが実感できる。しかし、樹脂チューブ３は必須でなく必要に応じて用いればよい。
【００１８】
本実施例の索具は、図１〜図５に示す例、および図６、図７に示す例のように、ワイヤ１の端部に、他との連結を図る連結金具２を接続するのに、連結金具２のワイヤ１との接続を図る接続軸部２２が、この接続軸部２２の端部側、より具体的には足部２２ｃの端部側から設けられている接続孔５に前記ワイヤ１の端部１ａが挿入され、かつ、この接続軸部２２のワイヤ１が挿入された部分はまわりから圧縮成形された図５（ａ）（ｂ）に示す初期断面Ａ１よりも小さな圧縮後断面Ａ２となった圧縮成形部２２ｂよりなり、この圧縮成形部２２ｂの一部に圧痕部６を有している。
【００１９】
このような索具は、連結金具２のワイヤ１との接続を図る接続軸部２２にその端部側からの図４に示すような接続孔５を設ける工程と、前記接続軸部２２の接続孔５にワイヤ１の端部１ａを図５（ａ）に示すように挿入する工程と、接続孔５にワイヤ１が挿入された接続軸部２２を図５（ｂ）に示すようなまわりからの圧縮によって初期断面Ａ１よりも小さい圧縮後断面Ａ２となる所定の断面形状まで圧縮成形する工程と、圧縮成形部２２ｂの一部に他の部分よりも大きく押し込んだ圧痕部６を形成する工程と、を備えればよい。圧縮成形は図５（ｂ）に示すように一例として２つの金型３１、３２の間で接続軸部２２をプレスして２方向から加圧することにより行え、接続軸部２２はワイヤ１との間で外径を内側に縮められるようにまわりから圧縮成形される。圧痕部６も金型３１、３２によって形成することができる。
【００２０】
ワイヤ１は索機能の耐久性上、直径３ｍｍ〜７ｍｍ程度で中型から大型の各種犬に対応することができ、犬の体重を基準にした例を述べると直径５ｍｍ程度で体重２５ｋｇまでの犬に対応でき、直径６ｍｍ程度で体重３５ｋｇの犬に対応することができる。
【００２１】
以上のように、連結金具２のワイヤ１との接続軸部２２がまわりから圧縮成形されており、あるいは圧縮成形されることによって、それの一端から挿入されている１本のワイヤ１がなすほぼ円形な単純で沿いやすい断面ではありながら、複数の引き揃え線束を撚り合せてできる図３、図７に示すような凹凸を持った外周面１ｂに、よく沿わされ、また、よく密着ないしは密に圧着されて第１の抜け止めとなっている。場合によってはワイヤ１をまわりから圧迫して撚り合わせ密度をさらに高めてそれに密着ないし圧着するようにもされ、より緩み難い連結構造が得られるようにもなる。また、圧縮成形部２２ｂの一部に他の部分よりも大きく押し込んだ圧痕部６によって、あるいはそのような圧痕部６が形成されることによって、ワイヤ１の一部に圧痕部形成に伴う局部で他よりも大きな押し込み、言い換えれば接続軸部２２が図５（ａ）に模式的に示す通常断面Ｂ１のワイヤ外周面１ｂに沿う位置よりも内側への押し込みによって、ワイヤ１の一部を通常断面Ｂ１よりも局部的に押圧した例えば図５（ｂ）に模式的に示すような変形断面Ｂ２とさせてそれに接続軸部２２が沿うことによって第２の抜け止めとなっている。
【００２２】
これらによって、連結金具２とワイヤ１とが不安のない十分で緩みのない結合力での、接続状態となっているか、接続状態とされる。従って、従来の結束方式のような接続の緩みが生じ難く長期に安心して使用することができる。
【００２３】
特に、本実施例での接続軸部２２の圧縮成形は、円形の初期断面Ａ１から角形の圧縮後断面Ａ２に変形させるように行っている。これによると、ワイヤ１の円周方向において、圧縮成形部２２ｂの多角形な単位平面２２ｂ１の幅方向中央部で強く、大きく圧縮変形させ、単位平面２２ｂ１どうしの隣接稜部２２ｂ２で弱く、小さく圧縮変形させることになり、周方向全域にて均一に圧迫、圧縮を図るよりも効率よく圧縮力を掛けてワイヤ１の表面に接続軸部２２が密に圧着させられるし、圧痕部６が形成されるときの一部での他の部分よりも大きな押し込みによるワイヤ１断面の変形を、接続軸部２２における弱く小さく圧縮成形変形され、あるいはさせる部分にて吸収することができ、ワイヤ１の変形断面Ｂ２への変形による第２の抜け止め効果を高めることができる。
【００２４】
図３に図１〜図５の例での、図７に図６、図７の例での、圧縮成形部２２ｂに圧痕部６を形成することによるワイヤ１の通常断面Ｂ１から変形断面Ｂ２への変形状態をそれぞれ示している。図５（ｂ）に示すように圧痕部６の形成によって、ワイヤ１の変形断面Ｂ２は圧痕部６の押し込み方向に通常断面Ｂ１よりも内側に押圧されて扁平化されるのに併せ、ワイヤ１はそれと直角な方向では外側に逃げようとして撚りの解しを伴って図３、図７に示すように局部的に広がり、これに接続軸部２２の圧縮成形部２２ｂが密に圧着するので、上記した第２の抜け止めがなされる。特に、本実施例のように、圧痕部６が圧縮成形部２２ｂの両側対称位置にあると、ワイヤ１の上記のような局部的な扁平化度が高まるので、第２の抜け止め機能が向上し好適である。図１〜図５に示す例では圧痕部６が半球状の窪みであるのに対し、図６、図７に示す例ではそれよりも軸線方向に拡張した長方形ないしは長円形に形成しているので、ワイヤ１の扁平化部の幅が拡張し、第２の抜け止め機能は図１〜図５に示す例の場合よりも高い。また、図１〜図５に示す例では樹脂チューブ３は接続軸部２２の直前まで達しているが、接続孔５には嵌まっていない。これに対して、図６、図７に示す例では樹脂チューブ３は接続孔５の入り口部に少し入り込んだ状態にしてある。これによると樹脂チューブ３の端部は外観されない。
【００２５】
圧痕部６がワイヤ１の端部１ａの端の部分に対応する位置関係とすれば、ワイヤ１が圧痕部６の形成による押圧にてさらに解されやすくなり、その分押圧方向での扁平化と押圧方向と直角な方向への広がりとが促進されるので、第２の抜け止め機能がさらに向上する。
【００２６】
圧縮成形と圧痕部の形成とが前記のように金型３１、３２を併用するなどして同時に行われると、前記圧縮成形による接続軸部２２のワイヤ１の外周面１ｂへの密な圧着と、一部での圧痕部６の形成によるワイヤ１断面の変形とをワイヤ１の逃げを抑えながら無理なく確実に接続軸部２２とワイヤ１との接続が達成される利点がある。
【００２７】
連結金具２がダイカスト合金製のものであると連結金具２を金型成形することができるとともに、変形性能が高くその後の圧縮成形および圧痕部６の形成に好適となる。ダイカスト合金としてはＡｌ合金、Ｍｇ合金、Ｚｎ合金、Ｓｎ合金、などがあり、可鍛鋳鉄など他のものも用いられる。もっとも、ダイカスト製品以外を用いれば材料は自由に選べる。
【００２８】
図１〜図５に示す例での実施例を示すと、ＷＩＲＯＰ工業株式会社製のクランプ・プレスを用いて接続軸部２２の図５（ａ）に示す円形断面を図５（ｂ）に示す六角形断面に圧縮成形する加工を行い接続を行った。加圧容量は６００ＭＴ〜３０００ＭＴ程度のものがあり、例えば６００ＭＴのものでは従来のフェルールを用いた結束加工の場合１６ｍｍ以下のワイヤに対応できるが、本実施例の場合、１つの例として直径３．５ｍｍないしは４ｍｍ程度のワイヤに対して、外径がほぼ倍の８ｍｍ程度の接続軸部２２を嵌め合わせて圧縮成形する高負荷な加工となるので、１０００ＭＴ程度のものを用いた。このものの主な仕様は最大圧力容量が１０５１ＭＴ、パワー供給が２０ｈｐ、ローデッド速度が１．９ｍｍ／ｓ、アンローデッド速度が９．８ｍｍ／ｓ、リバーシング速度が１２．５ｍｍ／ｓである。また、接続軸部２２を含む連結金具２の各部材はＺｎ合金製、接続軸部２２の接続孔５の内径はワイヤ１の外径との間に少しの隙間ができる程度とし、六角形な加工後断面Ｂ１が通常断面Ｂ１の外周から少し内側に外れる程度まで、ゆっくりとした速度で圧縮成形して接続軸部２２とワイヤ１とを接続した。
【００２９】
引張り試験によると、４００ｋｇ程度の荷重でナス環部２１が破断し、接続部はそれ以上の負荷に十分耐えられることが確認できた。１０００ｋｇ程度の負荷に耐えられると思われる。また、ワイヤ１は接続孔５に対し前記遊びによって、また、入り口に設けた面取り部５ａの案内によって容易に挿入することができた。
【００３０】
【発明の効果】
本発明によれば、連結金具のワイヤとの接続軸はまわりから圧縮成形されており、あるいは圧縮成形されることによって、それの一端から挿入されている１本のワイヤがなすほぼ円形な単純で沿いやすい断面ではありながら複数の引き揃え線束を撚り合せてできる凹凸を持った外周面に、よく沿わされ、また、よく密着されて第１の抜け止めとなること、および、圧縮成形部の一部に他の部分よりも大きく押し込んだ圧痕部によって、あるいはそのような圧痕部が形成されることによって、ワイヤの一部に圧痕部形成に伴う局部で他よりも大きな押し込み、言い換えれば接続軸が通常断面のワイヤ外周面に沿う位置よりも内側への押し込み、によって、ワイヤの一部を通常断面よりも局部的に押圧変形させて接続軸部が沿い第２の抜け止めとなること、によって、連結金具とワイヤとが不安のない十分で緩みのない結合力での、接続状態となっているか、接続状態とされる。従って、従来の結束方式のような接続の緩みが生じ難く長期に安心して使用することができる。
【００３１】
圧縮成形は、円形断面から角形断面に変形させるように行い、あるいは行われていると、ワイヤの円周方向の多角形な単位平面の幅方向中央部で強く、大きく圧縮変形させ、単位平面どうしの隣接部で弱く、小さく圧縮変形させることになり、周方向全域にて均一に圧迫するよりも効率よく圧縮力を掛けてワイヤの表面に密に圧着させられるし、圧痕部が形成され、あるいは形成されるときの一部での他の部分よりも大きな押し込みによるワイヤ断面の変形を、接続軸部における弱く小さく圧縮成形変形され、あるいはさせる部分にて吸収することができ、ワイヤ断面の変形による第２の抜け止め効果を高めることができる。
【００３２】
圧縮成形と圧痕部の形成とが同時に行われると、前記圧縮成形による接続軸部のワイヤ外周面への密な圧着と、一部での圧痕部形成によるワイヤ断面の変形とをワイヤの逃げを抑えながら無理なく確実に上記の接続が達成される利点がある。
【００３３】
連結金具がダイカスト合金製のものであると連結金具を金型成形することができるとともに、変形性能が高くその後の圧縮成形および圧痕部の形成成形に好適となる。
【図面の簡単な説明】
【図１】本発明の１つの実施例に係る索具の一端部を示す斜視図である。
【図２】図１の索具の平面図である。
【図３】図１の索具の接続軸部とワイヤとの接続部を示す平面図である。
【図４】図１の索具の接続前の状態を示す斜視図である。
【図５】接続軸部の圧縮成形による接続工程を示し、その（ａ）は圧縮成形前の状態を示す端面図、その（ｂ）は圧縮成形後の断面図である。
【図６】本発明の今１つの実施例に係る索具の一端部を示す平面図である。
【図７】図６の索具の接続軸部とワイヤとの接続部を示す平面図である。
【図８】従来の索具の接続軸部とワイヤとの接続部を示す平面図である。
【図９】従来の索具による犬の係留状態例を示す側面図である。
【符号の説明】
１  ワイヤ
１ａ  端部
２  連結金具
３  樹脂チューブ
４  索
５  接続孔
６  圧痕部
２１  ナス環部
２２  接続軸部
２３  接続環
Ａ１  初期断面
Ａ２  圧縮後断面
Ｂ１  通常断面
Ｂ２  変形断面
【図１】
0004918195.tif 000002
【図２】
0004918195.tif 000003
【図３】
0004918195.tif 000004
【図４】
0004918195.tif 000005
【図５】
0004918195.tif 000006
【図６】
0004918195.tif 000007
【図７】
0004918195.tif 000008
【図８】
0004918195.tif 000009
【図９】
0004918195.tif 000010